(57)【要約】【課題】  本発明は、従来の犬の糞受け器では糞排出後の処理が手作業になるため、衛生面や、また犬の散歩中の携帯に煩わしさを有し、心理的負担があった。【解決手段】  外容器１と内容器２との構成により、上下自在にスライドできる脚３・足４を内容器２と連動させ、内容器２の上方向への移動とアーム５の作動を蓋６に連動し２分割された蓋６が開き、落下する犬の糞１２を内容器２の中に設けた紙袋式の糞受けシート７で受ける。犬の糞受け後、把手９を手に握り、脚３・足４を地面より離すことにより、内容器２は自重で下方に下がり、アーム５と蓋６の連動作用により、内容器２は外容器１の内部に移動し、蓋６が外容器１の開口を覆い、把手９を腰等に吊り下げて携帯し犬の散歩が快適にできる。【選択図】図１
2005052161.tif 000002
【特許請求の範囲】
【請求項１】
上面が開口した外容器と内容器との構成において、外容器の底部に脚を装着し、脚と内容器とを連動させ、内容器外面にアームを装着し、アームは蓋と接合され、蓋は外容器上面を覆い、外容器にはアームの作動を補助するための突起を設け、内容器側壁には糞取り出し用の開口を設け、内部には紙袋式糞受けシートを装着し、底部には傾斜を設け、外容器側壁には糞取り出し扉を接合し、外容器には携帯用把手を備えたことを特徴とする犬の糞入器。
【発明の詳細な説明】
【技術分野】
【０００１】  本発明は、排出された犬の糞を外容器と内容器の構成により、脚とアームとの連動作用により、衛生的且つ速やかに処理できる犬の糞入器に関するものである。
【背景技術】
【０００２】  従来、犬の散歩中にする糞の後始末は、新聞やビニール等を利用して持ち帰ることが多く見受けられ、これらの処理方法は手作業で行われ、非衛生的であり、心理的に煩わしさがあった。【０００３】  これらの課題を解決するため、携帯式の糞受け器が提供されている。
【特許文献１】    特開２００２−３６０１０１号  公報
【特許文献２】    実開平６−７５１５０  公報
【０００４】  いずれも、犬の糞を受けるのは良く工夫されてはいるが、糞排出後の後始末が手作業となり、衛生面や散歩中の携帯に心理的な負担がある。
【発明の開示】
【発明が解決しようとする課題】
【０００５】  以上に述べた従来の犬の糞受器では、犬の糞排出後の処理が手作業となり、煩わしさがあり、衛生面や犬の散歩中の携帯に心理的負担があった。【０００６】  本発明は、このような従来の構成が有していた問題を解決しようとするものであり、糞排出後の後始末を手作業なしに、且つ煩わしさや心理的負担なく、携帯できることを目的とするものである。
【課題を解決するための手段】
【０００７】  そして、本発明は上記目的を達成するために、犬が排出する糞を下方で受ける上面が開口した外容器と内容器との構成において、外容器の底部に上下自在にスライドできる脚を装着し、脚と内容器とを連動させ、内容器外面にアームを装着し、アームは蓋と接合され、蓋は外容器上面を左右に２分割され覆い、外容器にはアームの作動を補助するための突起を設け、内容器側壁には糞取り出し用の開口を設け、内部には紙袋式糞受けシートを装着し、底部には傾斜を設け、外容器側壁には糞取り出し扉を接合し、外容器には携帯用把手とを設けたものである。【０００８】  上記の課題解決手段による作用は次の通りである。すなわち外容器の底部に上下自在にスライドできる脚を装着し、脚の作動に内容器とアームとが連動し、同時に外容器上面を覆っている蓋に作用し蓋が開放され、脚の作動により上方へ移動した内容器内に犬の糞を受け入れることができる。
【発明の効果】
【０００９】  上述したように本発明の犬の糞入器は、携帯用把手を握り、外容器に装着されている脚を地面に押し当てた後の脚の作動により、内容器とアームと蓋との連動を生じさせ、犬の散歩中の糞の排出が容易に受け入れられることを提供できる。【００１０】  また、犬の散歩中犬の糞入器を手に持つ必要はなく、腰等に吊り下げて散歩することができるような構成となっており、手に持ちながら散歩するときの煩わしさや、心理的負担を取り除く効果を発揮するものである。
【発明の実施するための最良の形態】
【００１１】  以下、本発明の実施の形態を図１〜図４に基づいて説明する。
【００１２】  図においては、１は外容器で例えば合成樹脂材料を用い、上方は開口され底部には脚３が上下自在にスライドできる穴５ヶ所を設け、外形は長円形状を成したボックス状に製作される。材質は合成樹脂材料に限定されない。材質は金属などを使用することができる。外形は長円形に限定されない。外形は楕円形でも長方形でも使用できる。
【００１３】  また、外容器１の内壁正面上方と、１８０度反対方向の上方部にアーム５の作動を補助する長円形状のアーム作動用突起１−１を設け、側壁上方の外側中央部には糞取り出し扉８の取付座が挟みこめるよう、左右２ヶ所に台形状の座を設置し、開閉ピン１０が装着できる穴を設け、頂部には溝を設ける。側壁下方の内側の中央部には糞取り出し扉８の取付座が挟みこめるよう左右２ヶ所に台形状の座を設け、固定ピン１１で糞取り出し扉８を開閉自在に接合できる穴を設けて固着する。外容器１は内部に内容器２を設け、上方開口部に蓋６がその開口部を覆い、底部に脚３を装着し、外面には糞取り出し扉８と把手９が装着されている。
【００１４】  外容器１の外壁正面の中央部にコの字形で上方は開口され、下部には底板を設け把手９の下端ネジ部が挿入可能な穴を加工し、把手９が差し込みできる縦長の座を固着する。また、側壁上方の左右２ヶ所にアーム５の作動をスムーズにするための縦長の溝を設ける。
【００１５】  糞取り出し扉８は、外形は半円弧で長方形状をし、上端部及び下端部に外容器１との装着用座を有し、上方中央部外側には台形状の突起を設け、その頂部には溝が切削され外容器１の側壁上方の外側の座と開閉ピン１０で装着される。糞取り出し扉８の下方中央部内側に円形の座を設け、外容器１の側壁下方の内側の座と、固定ピン１１と糞取り出し扉８とが開閉自在に接合できる穴を設け製作される。糞取り出し扉８の材質は合成樹脂材料からなる。糞取り出し扉８は合成樹脂材料に限定されない。金属などを使用することができる。
【００１６】  ここで開閉ピン１０は、円形状でＬ字型を成し、先端部には外容器１の側壁上方の外側中央部に固着された糞取り出し扉８の装着用座の溝部を、通り抜けできる長方形の突起を有した形状に製作される。開閉ピン１０の材質は合成樹脂材料からなる。開閉ピン１０は合成樹脂材料に限定されない。金属などを使用することができる。
【００１７】  また、固定ピン１１は円形状で頭部は六角形をなし、下部にはネジ部を加工したボルト形状に製作される。外容器１と糞取り出し扉８とを開閉自在に装着し、ネジ部には市販の六角ナットを使用し糞取り出し扉８と外容器１とを接合する。固定ピン１１の材質は合成樹脂材料からなる。固定ピン１１は合成樹脂材料に限定されない。材質は金属などを使用することができる。
【００１８】  ２は内容器で、例えば合成樹脂材料を用い、上方は開口され下方は底板を設け、底板の外側は脚３を受け易くできるように平らにし、内側には傾斜を設け、外形は長円形状を成したボックス状に製作される。外側正面下方部と１８０度反対方向下方部に円形の固定軸２−１を固着し、固定軸２−１の長手方向にアーム５の回転を効率よくするための溝を円周３ヶ所に切削し、底板の傾斜最下端部方向の側壁に、糞取り出し用の開口を設ける。固定軸２−１先端部にはアーム５との接合のため、固定軸２−１内側にメネジを切削し、市販の六角頭付ボルトでアーム５を装着する。内容器２の材質は合成樹脂材料からなる。内容器２の材質は合成樹脂材料に限定されない。材質は金属などを使用することができる。外形は長円形に限定されない。外形は楕円形でも長方形でも使用できる。内容器２は外面にアーム５を装着し、内面には紙袋式の糞受けシート７を設け、脚３と連動してアーム５と蓋６を同時に起動し、犬の糞受けを可能にする。
【００１９】  ５はアームで、外形は長方形状で両端が半円弧をし、半円弧の中心部に蓋６と内容器２の固定軸２−１とを回転自在に成す穴を設け、内容器２の正面に２枚、１８０度反対方向に２枚それぞれに製作される。蓋６の接合は市販の六角ボルト・ナットを使用する。アーム５の材質は合成樹脂材料からなる。アーム５の材質は合成樹脂材料に限定されない。材質は金属などを使用することができる。アーム５は内容器２の固定軸２−１に装着され、蓋６と接合されて、内容器２の作動を蓋６に伝動する。
【００２０】  ６は蓋で、外側は長円形状で左右対称に２分割され、上面は外容器１の上面開口部を覆う形状で天板を設け、下方は開口され側面は側板で覆われる。また左右対称の蓋６との接触面は開放され、左右対称の蓋６が突き合わされた状態で外容器１の開口部上面を覆う。蓋６の天板内壁の突き合わせ部中央に、左右対称に外形が台形状をし、端部が半円弧をした突起を設け、半円弧の中心部にアーム５が回転自在にできる穴を設け、蓋６の天板に固着される。蓋６の材質は合成樹脂材料からなる。蓋６の材質は合成樹脂材料に限定されない。材質は金属などを使用することができる。蓋６はアーム４との連動により、内容器２が上方に移動する前に外容器１の上面開口部への覆いを解除し、内容器２の糞受けを可能とする。
【００２１】  ７は紙袋式糞受けシートで、糞取り出し扉８を開放した後、糞を取り出し易くする為の紐状の取っ手を設ける。紙袋式の糞受けシートの材質は紙からなる。紙袋式の糞受けシートの材質は紙に限定されない。材質は合成樹脂材料などを使用することができる。紙袋式糞受けシート７は内容器２の空間内に有り、犬の排糞後の糞１２を包み、散歩後の帰宅の際、糞取り出し扉８を開放して取り出し、トイレ等に捨てることができる。
【００２２】  ９は把手で外形は長方形状で、クの字型を形成し、下端は円形状としてネジを加工する。外容器５のコの字型の座の内部に差し込まれ、座の外側に出たネジ部に市販の六角ナットで固定される。把手９の材質は合成樹脂材料からなる。把手９の材質は合成樹脂材料に限定されない。材質は金属などを使用することができる。把手９は犬の散歩中は腰等に吊り下げ、犬が糞意を催した際、把手９を握り脚３・足４を地面に押し当てる。
【００２３】  ３は脚で、外形は円形の棒状をなし、上部に円形状の板材を固着し、下端にはネジを加工する。また外形が球形状の足４の内部にネジを切削し、脚３に装着する。脚３と足４の材質は合成樹脂材料からなる。脚３と足４の材質は合成樹脂材料に限定されない。材質は金属などを使用することができる。脚３と足４の初動は、地面に押し当てることにより生じ、上方に移動し、内容器２を押し上げる。脚３の長さを調整することにより、犬の糞入器全体の高さを調節できる。
【００２４】  以下、上記構成の動作を説明する。犬の散歩中の排糞時に腰等に吊り下げた把手９を手に握り、犬の糞１２の落下地点に合わせ移動し、脚３・足４を地面に押し当てると脚３・足４は上方向に作動し、内容器２を押し上げアーム５と連動する。アーム５は内容器２の固定軸２−１と蓋６とを結合し連動する。アーム５と固定軸２−１との装着部は回転自在の方式に製作され、アーム５は内容器２の上方向への移動と回転運動とが連動して行われ、蓋６に伝達され、同時に内容器２も上方に押し上げられ、蓋６はアーム５の作用により、左右に開放され内容器２が蓋６の間に押し出される。アーム５の開閉作動は外容器１の内壁上方部に固着しているアーム作動用突起１−１に補助され、その動きはスムーズになる。落下する糞１２を内容器２の内部に装着されている紙袋式の糞シート７の中に手作業なしに包むことができる。
【００２５】  犬の糞処理後は、把手９を握り、脚３・足４を地面より離すことにより、内容器２は自重で下がり、アーム４の開放時の逆作用で蓋５は閉じ、犬の糞入器の把手９を腰等に吊り下げ、手に持つことなく散歩ができる。散歩終了後は、開閉ピン１０を抜いて糞取り出し扉８を下方に向けて開き、紙袋式の糞受けシート７の紐状の取っ手を掴み、中に入っている糞を取り出し、家庭内のトイレ等に捨てることができる。
【００２６】  また、犬の糞受けが一連の作動で手作業なしで処理できることにより、携帯中の両手は他のことに自由に対応できる。この作用により、糞受け後の手作業による処理などのときに発生する、衛生面や散歩中の携帯の煩わしさから解放される効果を発揮できる。以上のように、本実施形態によれば、飼い主の散歩中の心理的負担の解除効果が得られるものである。
【００２７】  また、本発明の上述の実施の形態に限らず、本発明の要旨を逸脱することなく、その他種々の構成を採り得ることはもちろんである。
【図面の簡単な説明】
【００２８】
【図１】本発明の実施形態を示す犬の糞入器の概略斜視図
【図２】犬の糞入器の開いた状態におけるＡ−Ａ断面図
【図３】犬の糞入器の閉じた状態におけるＢ−Ｂ断面図
【図４】犬の糞入器の側面Ｃ−Ｃ断面図
【符号の説明】
【００２９】      １  外容器
２  内容器
３  脚
４  足
５  アーム
６  蓋
７  紙袋式糞受けシート
８  糞取り出し扉
９  把手
１０  開閉ピン
１１  固定ピン
１−１  アーム作動用突起
２−１  固定軸
１２  糞
【図１】
2005052161.tif 000003
【図２】
2005052161.tif 000004
【図３】
2005052161.tif 000005
【図４】
2005052161.tif 000006